(57)【要約】【課題】記録媒体の搬送性によらず、記録媒体への高画質画像形成が可能なライン型インクジェットプリンタを提供すること。【解決手段】記録媒体Ｐｓの幅相当の長さに複数のノズルが配列され、前記ノズルから記録媒体Ｐｓの記録面へ向けてインクを吐出することにより画像を記録するラインヘッド４１〜４４を備えたライン型インクジェットプリンタであって、前記記録媒体Ｐｓを画像記録位置に停止させてその停止状態を保持しておく保持手段と、前記ラインヘッド４１〜４４をノズル配列方向に対して略直角な方向で且つ前記記録媒体Ｐｓの記録面と平行に往復移動させる移動手段５と、前記移動手段５により前記ラインヘッド４１〜４４を移動させながら、前記保持手段により停止した状態の記録媒体Ｐｓの記録面上へインクを吐出させることにより記録を行う制御手段とを有することを特徴とするライン型インクジェットプリンタ。【選択図】          図１
2005014445.tif 000002
【特許請求の範囲】
【請求項１】
記録媒体の幅相当の長さに複数のノズルが配列され、前記ノズルから記録媒体の記録面へ向けてインクを吐出することにより画像を記録するラインヘッドを備えたライン型インクジェットプリンタであって、前記記録媒体を画像記録位置に停止させてその停止状態を保持しておく保持手段と、前記ラインヘッドをノズル配列方向に対して略直角な方向で且つ前記記録媒体の記録面と平行に往復移動させる移動手段と、前記移動手段により前記ラインヘッドを移動させながら、前記保持手段により停止した状態の記録媒体の記録面上へインクを吐出させることにより記録を行う制御手段とを有することを特徴とするライン型インクジェットプリンタ。
【請求項２】
前記制御手段は、前記移動手段による前記ラインヘッドの往方向と復方向において記録を行うように前記ラインヘッドからのインクの吐出を制御することを特徴とする請求項１記載のライン型インクジェットプリンタ。
【請求項３】
前記記録媒体の先端位置の外側及び後端位置の外側の双方に、ラインヘッドから予備吐出されたインクを受け入れるインク受けをそれぞれ有することを特徴とする請求項１又は２記載のライン型インクジェットプリンタ。
【請求項４】
前記記録媒体の先端位置の外側又は後端位置の外側のいずれかに、ラインヘッドから予備吐出されたインクを受け入れるインク受けを有することを特徴とする請求項１又は２記載のライン型インクジェットプリンタ。
【発明の詳細な説明】
【０００１】
【発明の属する技術分野】
本発明は、ライン型インクジェットプリンタに関し、詳しくは、ラインヘッドを用いて、記録媒体の搬送性によらず、記録媒体へ高画質画像を形成することのできるライン型インクジェットプリンタに関する。
【０００２】
【従来の技術】
インクジェットプリンタでは、一般的に紙等の記録媒体を間欠的又は連続的に一方向に搬送しながら記録が行われる。近年、次第に記録速度の向上が要求されるにつれ、インクを吐出するノズルを記録媒体の全幅に対応する数だけライン状に配列してなるラインヘッドを有するライン型のインクジェットプリンタが多く提案されるようになってきた。
【０００３】
このようなライン型インクジェットプリンタは、図７に示すように、ラインヘッド２００をプリンタに対して固定状に配設し、一方、記録媒体２０１を搬送ローラ対２０２及び２０３によって挟持しながら副走査方向（矢印Ｙ方向）に搬送させ、その搬送過程で、ラインヘッド２００の副走査方向に略直交する方向（矢印Ｘ方向）に沿って配列された複数のノズルからインクを吐出することにより、記録媒体２０１上へ二次元画像を形成するようになっている（特許文献１）。
【０００４】
【特許文献１】特開平１１−３３４０４７号公報
【０００５】
【発明が解決しようとする課題】
ラインヘッドは、記録速度が速いという利点がある反面、ラインヘッドを固定状とし、一方の記録媒体を搬送ローラにより搬送させながら記録するため、記録媒体の搬送性が画像品質に大きく影響することから、記録媒体を安定に精度良く搬送する必要がある。しかしながら、記録媒体を安定に精度良く搬送するのは容易ではない。例えば、記録媒体の搬送中に、搬送ローラと記録媒体との間に滑りが生じたり、搬送方向上流側の搬送ローラ対２０２と下流側の搬送ローラ対２０３との間の搬送速度差による記録媒体の伸びが生じたり、更には搬送ローラの偏芯による搬送速度のふらつき等が生じたりすることにより、記録画像中に筋等の不具合が発生し、記録画像が不均一になる問題があった。
【０００６】
本発明は、上記問題点に鑑みてなされたもので、記録媒体の搬送性によらず、記録媒体への高画質画像形成が可能なライン型インクジェットプリンタを提供することを課題とする。
【０００７】
本発明の他の課題は、本明細書の以下の記載により明らかとなる。
【０００８】
【課題を解決するための手段】
請求項１記載の発明は、記録媒体の幅相当の長さに複数のノズルが配列され、前記ノズルから記録媒体の記録面へ向けてインクを吐出することにより画像を記録するラインヘッドを備えたライン型インクジェットプリンタであって、前記記録媒体を画像記録位置に停止させてその停止状態を保持しておく保持手段と、前記ラインヘッドをノズル配列方向に対して略直角な方向で且つ前記記録媒体の記録面と平行に往復移動させる移動手段と、前記移動手段により前記ラインヘッドを移動させながら、前記保持手段により停止した状態の記録媒体の記録面上へインクを吐出させることにより記録を行う制御手段とを有することを特徴とするライン型インクジェットプリンタである。
【０００９】
このようなライン型インクジェットプリンタでは、記録媒体は画像記録位置に停止した状態で保持され、ラインヘッドを移動させながら記録を行うので、記録媒体の搬送性によらずに画像記録を行うことができるため、高画質の画像が記録できる。
【００１０】
請求項２記載の発明は、前記制御手段は、前記移動手段による前記ラインヘッドの往方向と復方向において記録を行うように前記ラインヘッドからのインクの吐出を制御することを特徴とする請求項１記載のライン型インクジェットプリンタである。
【００１１】
このようなライン型インクジェットプリンタでは、例えば、往方向にラインヘッドを移動させながら１つの画像を記録し、その戻りの復方向にラインヘッドを移動させながら、別の画像を記録できるので、戻りの時間のロスがなく、記録速度を向上させることができる。
【００１２】
請求項３記載の発明は、前記記録媒体の先端位置の外側及び後端位置の外側の双方に、ラインヘッドから予備吐出されたインクを受け入れるインク受けをそれぞれ有することを特徴とする請求項１又は２記載のライン型インクジェットプリンタである。
【００１３】
このようなライン型インクジェットプリンタでは、例えば定型状の記録媒体で、往方向で１枚分の画像を記録した後、そのままインク受け位置に移動し、予備吐出をした後、記録媒体を排出し、復方向に移動しながら２枚目の画像を記録し、そのままインク受け位置に移動して予備吐出をした後、再度記録を繰り返すことができるので、画像記録に使用されないノズルがあっても、次の画像記録の前に予備吐出することにより常に目詰まりを防止できる。
【００１４】
請求項４記載の発明は、前記記録媒体の先端位置の外側又は後端位置の外側のいずれかに、ラインヘッドから予備吐出されたインクを受け入れるインク受けを有することを特徴とする請求項１又は２記載のライン型インクジェットプリンタである。
【００１５】
このようなライン型インクジェットプリンタでは、ラインヘッドの往方向又は復方向の移動による記録の合間に、インク受けの位置で予備吐出ができるので、目詰まりを防止できる。
【００１６】
【発明の実施の形態】
以下、本発明の実施の形態について図面を用いて説明する。
【００１７】
図１は本発明に係るライン型インクジェットプリンタの要部斜視図、図２はその構成ブロック図である。
【００１８】
図１に示すように、ライン型インクジェットプリンタには、定型状の記録媒体としてのカット紙Ｐｓを搬送する第１の搬送手段１と、記録後のカット紙Ｐｓを搬送する第２の搬送手段２とが連続して設けられている。
【００１９】
第１の搬送手段１は、駆動モータ１４（図２参照）により回転駆動される駆動ローラ１１と、従動ローラ１２と、これら駆動ローラ１１と従動ローラ１２とに亘って巻回された搬送ベルト１３とを有している。また、第２の搬送手段２も、駆動モータ２４（図２参照）により回転駆動される駆動ローラ２１と、従動ローラ２２と、これら駆動ローラ２１と従動ローラ２２とに亘って巻回された搬送ベルト２３とを有している。
【００２０】
カット紙Ｐｓは、第１の搬送手段１の入口側である従動ローラ１２側に積層配置されており、送り出しモータ３１（図２参照）により回転駆動される送り出しローラ３によって、一枚ずつ第１の搬送手段１上に載置された状態で矢印Ａ方向へ搬送されるようになっている。
【００２１】
上記駆動モータ１４、駆動モータ２４及び送り出しモータ３１は、制御部１００によって駆動・停止が制御される。
【００２２】
なお、図１においては図示省略されているが、第１の搬送手段１の所定の位置には、搬送ベルト１３上のカット紙Ｐｓが所定の画像記録位置まで搬送されたことを検出するための位置検出センサ１５（図２参照）が配設されており、また、第２の搬送手段２の所定の位置には、第１の搬送手段１の搬送ベルト１３上において画像記録が終了したカット紙Ｐｓが、第１の搬送手段１の搬送ベルト１３上から第２の搬送手段２の搬送ベルト２３上まで搬送されたことを検出するための位置検出センサ２５（図２参照）が配設されている。
【００２３】
この位置検出センサ１５、２５の検出信号は制御部１００に入力されるようになっている。そして、制御部１００は、位置検出センサ１５の検出信号によってカット紙Ｐｓが搬送ベルト１３上の所定の画像記録位置まで搬送されてきたことを検知すると、駆動モータ１４を停止させて駆動ローラ１１の回転を停止させ、搬送ベルト１３の駆動を停止させることで、該搬送ベルト１３上に載置されたカット紙Ｐｓを該搬送ベルト１３上における所定の画像記録位置に停止させ、少なくとも上記カット紙Ｐｓに対する画像記録が終了するまでの間、その停止状態を保持しておく。
【００２４】
なお、搬送ベルト１３上に停止して保持されたカット紙Ｐｓの表面平滑性を維持するため、図示しないが、カット紙Ｐｓを載置している搬送ベルト１３を挟んでカット紙Ｐｓと反対側に、カット紙Ｐｓを平坦に支持するためのプラテンや、カット紙Ｐｓを搬送ベルト１３上に吸引吸着させるための吸引手段等を設けておくことが好ましい。
【００２５】
制御部１００は、位置検出センサ２５の検出信号によってカット紙Ｐｓが第２の搬送ベルト２３上まで搬送されてきたことを検知すると、駆動モータ２４を駆動させて駆動ローラ２１を回転させ、搬送ベルト３３を駆動させることで、該搬送ベルト３３上の画像記録済みのカット紙Ｐｓを矢印Ｃ方向に向けて排紙する。
【００２６】
第１の搬送手段１の搬送ベルト１３上には、ラインヘッド組立体４が配設されている。ラインヘッド組立体４は、第１の搬送手段１によって搬送可能な記録媒体の最大幅に対応する長さに亘って複数のノズルが配列されたラインヘッドを有している。ここでは、Ｙ（イエロー）用ラインヘッド４１、Ｍ（マゼンタ）用ラインヘッド４２、Ｃ（シアン）用ラインヘッド４３、Ｋ（ブラック）用ラインヘッド４４の４色のラインヘッドによってカラー画像を記録するラインヘッド組立体４を例示しているが、ラインヘッド組立体４を構成するラインヘッドの数は特に限定されず、４色以外の複数色や、例えばＫ用ラインヘッドの一色のみであってもよい。また、ラインヘッドのインク吐出方式としては、圧電方式、高電圧方式、気泡破裂型方式等が知られているが、本発明においては特に問わない。
【００２７】
このラインヘッド組立体４は、ヘッド移動手段５によって第１の搬送手段１の搬送ベルト１３上を、カット紙Ｐｓの搬送方向に沿う方向に往復移動可能に構成されている。
【００２８】
このヘッド移動手段５は、ラインヘッド組立体４を第１の搬送手段１上においてカット紙Ｐｓの搬送方向に沿って移動させる際のガイドをなす第１及び第２のガイドバー５１、５２と、ラインヘッド組立体４を第１及び第２のガイドバー５１、５２に沿って移動させるための移動機構５３と、この移動機構５３を駆動させてラインヘッド組立体４を移動させるためのヘッド移動モータ５４とを有して構成される。
【００２９】
第１及び第２のガイドバー５１、５２は、第１の搬送手段１の搬送ベルト１３の上面から所定間隔をおいてカット紙Ｐｓの搬送方向に沿って平行に並設されている。そして、ラインヘッド組立体４は、その両側部にそれぞれ設けられた穴４５、４６に、これら第１及び第２のガイドバー５１、５２が嵌挿されることにより、各ラインヘッド４１〜４４のノズル配列方向がカット紙Ｐｓの搬送方向（矢印Ａ方向）と略直角な方向となると共に、各ラインヘッド４１〜４４のノズル面が第１の搬送手段１の搬送ベルト１３上から所定間隔を置くように支持され、且つこれら第１及び第２のガイドバー５１、５２に沿って、移動機構５３の作動によってカット紙Ｐｓの搬送方向に沿う往復移動（矢印Ａ方向及びＢ方向の移動）が可能とされている。
【００３０】
かかるラインヘッド組立体４を往復移動させる移動機構５３は、ラインヘッド組立体４を、第１及び第２のガイドバー５１、５２に沿って一定速度で往復移動させることができるものであれば特に問わない。例えば、図示するように、ラインヘッド組立体４の移動方向に沿うように２つのプーリ５３１、５３２を配置し、両端をそれぞれラインヘッド組立体４に取り付けたワイヤ５３３を、上記各プーリ５３１、５３２に架け渡し、一方のプーリ５３１をヘッド移動モータ５４と連結することにより構成することができる。
【００３１】
そして、各ラインヘッド４１〜４４は、画像メモリ１０１から読み出された画像データに基づいて、制御部１００により駆動制御されるヘッドドライバ４１１、４２１、４３１、４４１により、同じく制御部１００により駆動制御されるヘッド移動モータ５４によって作動される移動機構５３によって移動する過程で、各ラインヘッド４１〜４４のノズルからのインク吐出が制御され、搬送ベルト１３上の所定の画像記録位置に停止された状態のカット紙Ｐｓの記録面上に二次画像を形成するようになっている。
【００３２】
また、第１の搬送手段１の搬送ベルト１３上において画像記録されるカット紙Ｐｓの搬送方向に沿う先端位置の外側、すなわち第１の搬送手段１と第２の搬送手段２との間と、第１の搬送手段１の搬送ベルト１３上において画像記録されるカット紙Ｐｓの搬送方向に沿う後端位置の外側、すなわち第１の搬送手段１と送り出しローラ３との間には、それぞれラインヘッド組立体４の各ラインヘッド４１〜４４から予備吐出されたインクを受け入れるためのインク受け６、７が設けられており、本発明において好ましい一態様を示している。
【００３３】
次に、図３〜図６を用いて、上記構成を有するライン型インクジェットプリンタの動作を説明する。
【００３４】
まず最初に、ラインヘッド組立体４は、図３に示すように、第１の搬送手段１の搬送ベルト１３上に静止している。
【００３５】
制御部１００は、画像メモリ１０１から記録すべき画像データを読み出すと、送り出しモータ３１を制御して送り出しローラ３を回転させる。これにより、積層されたカット紙Ｐｓの一番上のカット紙Ｐｓが第１の搬送手段１の搬送ベルト１３上へ送り出される。また、制御部１００は駆動モータ１４を制御して駆動ローラ１１を回転させることにより第１の搬送手段１の搬送ベルト１３を駆動させ、搬送ベルト１３上のカット紙Ｐｓを該搬送ベルト１３上における所定の画像記録位置まで搬送する。
【００３６】
搬送ベルト１３上を搬送されるカット紙Ｐｓは、位置検出センサ１５（図２参照）によって所定の画像記録位置まで搬送されたことが検出される。制御部１００は、位置検出センサ１５からの検出信号を受け取ると、駆動モータ１４を停止させてカット紙Ｐｓの搬送を停止させ、カット紙Ｐｓを画像記録位置に停止した状態とし、少なくともこのカット紙Ｐｓに対する画像記録が終了するまでの間、この停止状態を保持する。
【００３７】
次いで、制御部１００はヘッド移動モータ５４を制御し、移動機構５３によって、ラインヘッド組立体４を、副走査方向であり往方向である矢印Ｂ方向へ移動させると共に、各ヘッドドライバ４１１、４２１、４３１、４４１を制御して、その移動過程において画像データに応じた適切なタイミングでインクを吐出制御することにより、搬送ベルト１３上に停止しているカット紙Ｐｓの記録面上に二次元画像を形成する。
【００３８】
この二次元画像の記録は、カット紙Ｐｓが搬送ベルト１３上の所定の画像記録位置に停止した状態で行われるため、カット紙Ｐｓの搬送性によらずに画像記録を行うことができる。通常、このカット紙Ｐｓ等の記録媒体の搬送は、搬送ローラや搬送ベルト等の搬送手段を介して記録媒体に対して間接的に搬送力を作用させることから、すべり等の問題が発生し易い。また、記録時に記録媒体に一定の張力を掛けるために、記録媒体の搬送は、搬送方向上流側と下流側とで記録媒体を挟むようにし、上流側に比べて下流側の搬送速度が若干速くなるように制御していることから、記録媒体の種類によっては搬送中に伸びが発生し易い。このため、記録媒体を搬送させながら画像記録を行うと、記録画像が不均一となり易いのに対し、このようにラインヘッド４１〜４４を有するラインヘッド組立体４を移動させる場合は、その移動力をラインヘッド組立体４に直接的に作用させることができるため、安定且つ高精度に移動させることができ、これにより高画質の画像が記録できる。
【００３９】
１枚のカット紙Ｐｓの記録面全面に対する画像記録が終了した後も、制御部１００はラインヘッド組立体４をそのまま矢印Ｂ方向へ移動させ続け、図４に示すようにインク受け７の位置まで移動させて停止させる。制御部１００は、この位置において各ヘッドドライバ４１１、４２１、４３１、４４１を制御して、各ラインヘッド４１〜４４の全ノズルから所定数のインクをインク受け７に向けて連続的に吐出することにより予備吐出を行い、ノズルの目詰まりの回復及び吐出の安定化を行う。
【００４０】
このように１枚のカット紙Ｐｓに対する画像記録が終了するとほぼ同時に、制御部１００は駆動モータ１４を制御して駆動ローラ１１を回転させることにより、第１の搬送手段をＡ方向に移動させ、搬送ベルト１３上の二次元画像が形成されたカット紙Ｐｓを第２の搬送手段２の搬送ベルト２３上へ搬送する。
【００４１】
カット紙Ｐｓが第１の搬送手段１から第２の搬送手段２へ搬送されたことは位置検出センサ２５（図２参照）によって検出される。この検出信号によって、制御部１００は駆動モータ２４を制御して駆動ローラ２１を回転させ、第２の搬送手段２の搬送ベルト２３上のカット紙Ｐｓを矢印Ｃ方向（図１参照）へ搬送して排紙する。
【００４２】
第１の搬送手段１から第２の搬送手段２へのカット紙Ｐｓの搬送完了、又は搬送ベルト１３上の画像記録済みのカット紙Ｐｓの搬送開始とほぼ同時に、制御部１００は再び送り出しモータ３１を制御して送り出しローラ３を回転させ、上記と同様にして、積層されたカット紙Ｐｓの一番上の新たなカット紙Ｐｓを第１の搬送手段１の搬送ベルト１３上の所定の画像記録位置まで搬送した後、停止させる。
【００４３】
そして、制御部１００は、図５に示すように、再びヘッド移動モータ５４を制御し、ラインヘッド組立体４を、副走査方向であり復方向である矢印Ａ方向へ移動させると共に、各ヘッドドライバ４１１、４２１、４３１、４４１を制御して、その移動過程において画像データに応じた適切なタイミングでインクを吐出制御することにより、搬送ベルト１３上に停止している新たなカット紙Ｐｓの記録面上に二次元画像を形成する。
【００４４】
この新たな１枚のカット紙Ｐｓの記録面全面に対する画像記録が終了した後も、制御部１００はラインヘッド組立体４をそのまま矢印Ａ方向へ移動させ続け、図６に示すようにインク受け６の位置まで移動させて停止させる。制御部１００は、この位置において各ヘッドドライバ４１１、４２１、４３１、４４１を制御して、各ラインヘッド４１〜４４の全ノズルから所定数のインクをインク受け６に向けて連続的に吐出することにより予備吐出を行い、ノズルの目詰まりの回復及び吐出の安定化を行い、次の画像記録に備える。
【００４５】
なお、二次元画像が形成された新たなカット紙Ｐｓは、上記のように各ラインヘッド４１〜４４からインク受け７に対して予備吐出が行われる前又は予備吐出が行われた後に、第２の搬送手段２の搬送ベルト２３上へ搬送されて排紙される。
【００４６】
以降、同様にして、これらの画像記録動作及び予備吐出動作が繰り返される。
【００４７】
なお、ここではインク受け６、７の双方が設けられていることにより、ラインヘッド組立体４を往方向に移動させながらカット紙Ｐｓに対して１枚分の画像を記録し、そのままインク受け位置まで移動して予備吐出を行った後、再度復方向に移動させながら次の１枚分の画像を記録し、そのままインク受け位置まで移動して予備吐出を行うといった具合に、予備吐出を１画像記録動作毎に繰り返すことができる。従って、その１枚の画像記録中に使用されなかったノズルが存在していても、ラインヘッド組立体４を他端部まで移動させる必要なく、そのままインク受け位置まで移動させることにより、次の画像を記録する前に予備吐出して目詰まりの防止及び吐出の安定化を図ることができるため、常に安定した品質の画像記録を行うことが可能である。
【００４８】
このようにインク受け６、７の双方を設けることは、安定した品質の画像記録を行う上で最も好ましい態様であるが、上記インク受け６又は７のいずれか一方のみとして、部品点数の削減化及び省スペース化を図るようにしてもよい。この場合は、ラインヘッド組立体４が往方向又は復方向のいずれかの方向に移動した際に、インク受けの位置までそのまま移動させて予備吐出を行うようにすればよく、画像記録の合間で目詰まりの防止及び吐出の安定化を図ることができる。
【００４９】
また、インク受け６及び／又は７は、各ラインヘッド４１〜４４のノズル面を密閉するキャップ部材を兼用していてもよい。すなわち、画像記録時には上記のようにインク受けとして機能させると共に、プリンタ休止時等、長期間画像記録を行わない場合には、ラインヘッド組立体４をキャップ部材を兼用するインク受け６及び／又は７の位置まで移動させ、そのキャップ部材を兼用するインク受け６及び／又は７によって各ラインヘッド４１〜４４のノズル面を密閉することで、ノズル面の保護及びインクの蒸発による目詰まりの防止を図ることができる。
【００５０】
このようにキャップ部材を兼用する場合のインク受け６及び／又は７は、各ラインヘッド４１〜４４毎に対応するように分割されていてもよい。
【００５１】
インクを吐出することにより画像記録が可能な記録媒体は、紙に限らず、布、ガラス、樹脂シート等多様であるが、本発明は、これらいずれの記録媒体にも適用できる。
【００５２】
特に、本発明において、記録媒体が布である場合は、顕著な効果を発揮するために好ましい態様である。すなわち、記録媒体としての布は、図７に示す従来技術のように、搬送方向上流側と下流側とで一定の張力を掛けながら搬送すると、布に伸びが生じる。従来技術によると、布に伸びが生じた状態で固定状のラインヘッドによって画像記録が行われるため、画像記録後に張力が解かれた際、布が元の状態に収縮すると、画像が乱れてしまう問題がある。しかし、本発明によれば、記録媒体として布を使用した場合でも、画像記録時は画像記録位置に停止した状態が保持され、布に伸びが発生するような張力が掛けられて搬送されることがないため、画像乱れのない高画質の画像記録を行うことができる。
【００５３】
また、以上の説明では定型状の記録媒体であるカット紙を用いた例を示したが、本発明は何らこれに限定されず、ロール状に巻回されて連続状に繰り出されるロール状記録媒体の場合にも同様に適用できる。
【００５４】
【発明の効果】
本発明によれば、記録媒体の搬送性によらず、記録媒体への高画質画像形成が可能なライン型インクジェットプリンタを提供することができる。
【図面の簡単な説明】
【図１】本発明に係るライン型インクジェットプリンタの要部斜視図
【図２】本発明に係るライン型インクジェットプリンタの構成ブロック図
【図３】本発明に係るライン型インクジェットプリンタの動作を説明する図
【図４】本発明に係るライン型インクジェットプリンタの動作を説明する図
【図５】本発明に係るライン型インクジェットプリンタの動作を説明する図
【図６】本発明に係るライン型インクジェットプリンタの動作を説明する図
【図７】従来のライン型インクジェットプリンタの要部斜視図
【符号の説明】
１：第１の搬送手段
１１：駆動ローラ
１２：従動ローラ
１３：搬送ベルト
１４：駆動モータ
１５：位置検出センサ
２：第２の搬送手段
２１：駆動ローラ
２２：従動ローラ
２３：搬送ベルト
２４：駆動モータ
２５：位置検出センサ
３：送り出しローラ
３１：送り出しモータ
４：ラインヘッド組立体
４１〜４４：ラインヘッド
４５、４６：穴
４１１、４２１、４３１、４４１：ヘッドドライバ
５：ヘッド移動手段
５１：第１のガイドバー
５２：第２のガイドバー
５３：移動機構
５３１、５３２：プーリ
５３３：ワイヤ
５４：ヘッド移動モータ
６、７：インク受け
Ｐｓ：カット紙
【図１】
2005014445.tif 000003
【図２】
2005014445.tif 000004
【図３】
2005014445.tif 000005
【図４】
2005014445.tif 000006
【図５】
2005014445.tif 000007
【図６】
2005014445.tif 000008
【図７】
2005014445.tif 000009